(57)【要約】【課題】呈示する時刻と異なった時刻をユーザが誤って認識する恐れを低減することが可能な、触感により時刻を呈示する電子機器を提供する。【解決手段】タッチ入力を検出するタッチセンサと、タッチセンサのタッチ面を振動させる触感呈示部と、タッチ面にタッチしているタッチ対象に対して触感を呈示するように触感呈示部の駆動を制御する制御部と、を備え、制御部は、タッチ対象がタッチ面に対して所定のタッチ状態にある際に、タッチ対象に対して時刻を触感により呈示するように触感呈示部の駆動を制御し、時刻の呈示が終了すると、時刻に係る触感と異なる触感をタッチ対象に対して呈示するように触感呈示部の駆動を制御する。【選択図】図２
2011070508.tif 000002
【特許請求の範囲】
【請求項１】
タッチ入力を検出するタッチセンサと、
前記タッチセンサのタッチ面を振動させる触感呈示部と、
前記タッチ面にタッチしているタッチ対象に対して触感を呈示するように前記触感呈示部の駆動を制御する制御部と、を備え、
前記制御部は、前記タッチ対象が前記タッチ面に対して所定のタッチ状態にある際に、前記タッチ対象に対して時刻を触感により呈示するように前記触感呈示部の駆動を制御し、前記時刻の呈示が終了すると、前記時刻に係る触感と異なる触感を前記タッチ対象に対して呈示するように前記触感呈示部の駆動を制御する電子機器。
【請求項２】
前記制御部は、一回目の前記所定のタッチ状態の際に、前記タッチ対象に対して前記時刻の時を呈示し、前記時の呈示が終了すると、前記時の呈示に係る触感と異なる触感を前記タッチ対象に対して呈示するように前記触感呈示部の駆動を制御すると共に、前記時の呈示終了から所定時間内に検出される二回目の前記所定のタッチ状態の際に、前記タッチ対象に対して前記時刻の分を呈示し、前記分の呈示が終了すると、前記分の呈示に係る触感と異なる触感を前記タッチ対象に対して呈示するように前記触感呈示部の駆動を制御する、
ことを特徴とする請求項１に記載の電子機器。
【請求項３】
前記制御部は、前記タッチ対象が前記タッチ面に対して所定のタッチ状態になった際に、前記時刻の呈示に係る触感と異なる触感を前記タッチ対象に対して呈示するように前記触感呈示部の駆動を制御する、
ことを特徴とする請求項１又は２に記載の電子機器。
【請求項４】
前記タッチセンサは、前記タッチ対象による前記タッチ面のタッチ位置の情報を出力し、
前記制御部は、前記タッチ状態として、前記タッチセンサからの前記位置情報が連続的に変化する前記タッチ対象のスライドを検出する
ことを特徴とする請求項１乃至３のいずれか一項に記載の電子機器。
【請求項５】
前記制御部は、前記タッチ対象が前記時刻に応じた前記タッチ面の所定の位置をスライドすると、前記タッチ対象に対して触感を呈示するように前記触感呈示部の駆動を制御する、
ことを特徴とする請求項４に記載の電子機器。
【請求項６】
前記タッチ面に対する押圧荷重を検出する荷重検出部をさらに備え、
前記制御部は、前記荷重検出部により検出される押圧荷重が所定の荷重基準を満たした際に所定の処理を実行し、前記荷重検出部により検出される押圧荷重が前記所定の荷重基準を満たしていない状態で前記所定のタッチ状態を検出する、
ことを特徴とする請求項１乃至５のいずれか一項に記載の電子機器。
【請求項７】
前記制御部は、前記時刻を触感により呈示する態様として、前記時刻に対応する回数分、前記タッチ対象に対して触感を呈示するように前記触感呈示部の駆動を制御すると共に、前記時刻の呈示が終了したことを通知するために、前記時刻に対応する回数分、前記タッチ対象に対して触感を呈示するうち、最終回目に呈示する触感を他の回に呈示する触感と異ならせるように前記触感呈示部の駆動を制御する、
ことを特徴とする請求項１乃至６のいずれか一項に記載の電子機器。
【発明の詳細な説明】
【技術分野】
【０００１】
本発明は、電子機器に関し、特に触感により時刻を呈示することが可能な電子機器に関する。
【背景技術】
【０００２】
従来の電子機器には、時刻通知機能を有するものがあり、ユーザはその時刻通知機能により、時刻を知ることができる。この電子機器の時刻通知機能の一例としては、電子機器に備えられた表示部に時刻を表示してユーザに通知する機能がある。このように、表示部に時刻を表示すれば、ユーザは表示部を一瞥するだけで時刻を即座に知ることができ、利便性を向上できる。そのため、従来の多くの電子機器においては、時刻を表示部に表示してユーザに通知するようにしている。
【０００３】
しかし、例えば、携帯電話端末やＰＤＡ（Personal Digital Assistants）等のように
携帯されて使用される電子機器は、鞄やポケットに入れて携帯される場合が多い。この場合、電子機器の表示部に表示される時刻を確認するには、電子機器を鞄やポケットからいちいち取り出し、さらに機種によっては操作キーを押したり、折り畳み式の場合は機器を開いたりするなどの面倒な操作を行って、表示部に表示される時刻を視認することになる。このため、ポケットや鞄等の中に収容物が詰まっている等の原因により、電子機器を取り出し難いといった状況においては、時刻を確認し難く、ユーザにとっては不都合が生じていた。また、時刻を確認する毎に、ポケット等からいちいち電子機器を取り出し、その後、再びポケット等に電子機器を戻すという一連の操作を行うことは、ユーザにとって手間になっていた。
【０００４】
なお、従来の折り畳み式の電子機器として、折り畳んだ状態で露出する部分にサブ表示部を設け、このサブ表示部に日時、着信、新着メール等を表示するようにしたものも提案されている（例えば、特許文献１参照）。この電子機器によれば、機器を展開してメインの表示部を見ることなく、機器を折り畳んだ状態で、サブ表示部を視認することにより、サブ表示部に表示されている時刻等を確認することができる。しかし、この電子機器においても、電子機器がポケット等に入っている場合は、いちいち機器を取り出してサブ表示部を視認することになるため、同様の不都合が生じることになる。
【０００５】
また、電子機器は、携帯されて種々の場所で使用されることから、例えば、炎天下や明るいライトの下で表示部に表示されている時刻を見る場合もある。しかし、このような環境の下では、表示部による外光の反射や、外界の表示部への写りこみ等が生じて、表示部に表示されている時刻が見づらくなる。
【０００６】
一方、視覚障害者などによる入力を支援する情報機器として、タッチセンサの表示部に表示されている数字キーに触れると、数字に応じた振動を呈示するようにしたものも知られている（例えば、特許文献２参照）。
【先行技術文献】
【特許文献】
【０００７】
【特許文献１】特開２００３−１９８６７６号公報
【特許文献２】特開２００３−１６５０２号公報
【発明の概要】
【発明が解決しようとする課題】
【０００８】
ここで、電子機器がタッチセンサを備える場合は、上記特許文献２に開示の技術を適用して、タッチセンサに触れることにより、時刻を振動の触感として呈示するように構成することが想定される。例えば、３時の場合は、タッチセンサを「ブル・ブル・ブル」と３回振動させる。このようにすれば、ユーザは、電子機器を鞄やポケット等に入れたままの状態で、タッチセンサに指を触れることによりおおまかな時刻を知ることが可能となる。
【０００９】
しかしながら、タッチセンサを振動させることにより時刻を呈示している途中に、タッチセンサから指が離れてしまうと、ユーザは誤った時刻を認識することになる。特に、電子機器を鞄やポケット等に入れたままの状態で、タッチセンサに触れるのは、電子機器が不自然な姿勢にある状態で触れる場合が多いので指が離れやすい。このように、時刻の呈示の途中で指が離れた場合であっても、ユーザは時刻呈示の途中で指が離れたことを認識することができないため、呈示しようとした時刻とは異なる時刻を誤って認識することになる。
【００１０】
本発明は、上記の点に鑑みてなされたもので、呈示する時刻と異なった時刻をユーザが誤って認識する恐れを低減することが可能な、触感により時刻を呈示する電子機器を提供することを目的とするものである。
【課題を解決するための手段】
【００１１】
上記した課題を解決すべく、第１の発明による電子機器は、タッチ入力を検出するタッチセンサと、前記タッチセンサのタッチ面を振動させる触感呈示部と、前記タッチ面にタッチしているタッチ対象に対して触感を呈示するように前記触感呈示部の駆動を制御する制御部と、を備え、前記制御部は、前記タッチ対象が前記タッチ面に対して所定のタッチ状態の際に、前記タッチ対象に対して時刻を触感により呈示するように前記触感呈示部の駆動を制御し、前記時刻の呈示が終了すると、前記時刻に係る触感と異なる触感を前記タッチ対象に対して呈示するように前記触感呈示部の駆動を制御する。
【００１２】
また、第２の発明による電子機器は、前記制御部は、一回目の前記所定のタッチ状態の際に、前記タッチ対象に対して前記時刻の時を呈示し、前記時の呈示が終了すると、前記時の呈示に係る触感と異なる触感を前記タッチ対象に対して呈示するように前記触感呈示部の駆動を制御すると共に、前記時の呈示終了から所定時間内に検出される二回目の前記所定のタッチ状態の際に、前記タッチ対象に対して前記時刻の分を呈示し、前記分の呈示が終了すると、前記分の呈示に係る触感と異なる触感を前記タッチ対象に対して呈示するように前記触感呈示部の駆動を制御する。
【００１３】
また、第３の発明による電子機器は、前記制御部は、前記タッチ対象が前記タッチ面に対して所定のタッチ状態になった際に、前記時刻の呈示に係る触感と異なる触感を前記タッチ対象に対して呈示するように前記触感呈示部の駆動を制御する。
【００１４】
また、第４の発明による電子機器は、前記タッチセンサは、前記タッチ対象による前記タッチ面のタッチ位置の情報を出力し、前記制御部は、前記タッチ状態として、前記タッチセンサからの前記位置情報が連続的に変化する前記タッチ対象のスライドを検出する
。
【００１５】
また、第５の発明による電子機器は、前記制御部は、前記タッチ対象が前記時刻に応じた前記タッチ面の所定の位置をスライドすると、前記タッチ対象に対して触感を呈示するように前記触感呈示部の駆動を制御する。
【００１６】
また、第６の発明による電子機器は、前記タッチ面に対する押圧荷重を検出する荷重検出部をさらに備え、前記制御部は、前記荷重検出部により検出される押圧荷重が所定の荷重基準を満たした際に所定の処理を実行し、前記荷重検出部により検出される押圧荷重が前記所定の荷重基準を満たしていない状態で前記所定のタッチ状態を検出する。
【００１７】
また、第７の発明による電子機器は、前記制御部は、前記時刻を触感により呈示する態様として、前記時刻に対応する回数分、前記タッチ対象に対して触感を呈示するように前記触感呈示部の駆動を制御すると共に、前記時刻の呈示が終了したことを通知するために、前記時刻に対応する回数分、前記タッチ対象に対して触感を呈示するうち、最終回目に呈示する触感を他の回に呈示する触感と異ならせるように前記触感呈示部の駆動を制御する。
【発明の効果】
【００１８】
本発明によれば、時刻の呈示が終了すると、時刻に係る触感と異なる触感を呈示するので、時刻の呈示の途中で指等が離れた場合に、ユーザは時刻呈示が終了する前に指等が離れたことを認識することができる。したがって、呈示する時刻と異なった時刻をユーザが誤って認識する可能性を低減することができる。
【図面の簡単な説明】
【００１９】
【図１】本発明の第１実施の形態に係る携帯電話端末の機能ブロック図である。
【図２】第１実施の形態に係る携帯電話端末による時刻の触感呈示態様を説明するための図である。
【図３】第１実施の形態に係る携帯電話端末による時刻の触感呈示動作を示すフローチャートである。
【図４】第１実施の形態に係る携帯電話端末の動作を説明するための図である。
【図５】第２実施の形態に係る携帯電話端末による時刻の触感呈示動作を示すフローチャートである。
【図６】第３実施の形態に係る携帯電話端末による時刻の触感呈示動作を示すフローチャートである。
【発明を実施するための形態】
【００２０】
以下、本発明に係る電子機器の実施の形態機器について、図を参照して説明する。
【００２１】
（第１実施の形態）
図１は、本発明の第１実施の形態に係る電子機器の機能ブロック図である。この電子機器は、タッチセンサ１１、荷重検出部１２、触感呈示部１３、表示部１４、通信部１５、記憶部１６、および、全体の動作を制御する制御部１７を有する。
【００２２】
タッチセンサ１１は、そのタッチ面１１ａに対する指やスタイラスペンなどのタッチ対象によるタッチ入力を検出するもので、抵抗膜方式、静電容量方式、光学式等のタッチ位置の二次元の位置情報を出力する公知のもので構成して、表示部１４上に配置する。荷重検出部１２は、タッチセンサ１１のタッチ面１１ａに対する押圧荷重を検出するもので、例えば、歪みゲージセンサや圧電素子等の荷重に対して反応する素子を用いて構成する。触感呈示部１３は、タッチセンサ１１を振動させるもので、例えば、圧電素子を用いて構成する。
【００２３】
表示部１４は、押しボタンスイッチ（プッシュ式ボタンスイッチ）のような入力ボタン等の入力用オブジェクトを表示するもので、例えば、液晶表示パネルや有機ＥＬ表示パネル等を用いて構成する。この表示部１４に表示された入力用オブジェクトに対するタッチ入力は、タッチセンサ１１から出力される位置情報に基づいて制御部１７により検出される。通信部１５は、公知のセルラー網等のネットワークを介して電話や電子メール等の無線通信を行うように構成する。記憶部１６には、無線通信プログラムを含む各種の動作プログラム、未読メールや未応答電話の着信情報、ユーザ入力によるスケジュール、触感呈示部１３の駆動信号情報、タッチセンサ１１のタッチ面１１ａにおける所定の位置情報、等を記憶する。
【００２４】
制御部１７は、例えばＣＰＵ等からなり、タッチセンサ１１からの位置情報、荷重検出部１２からの押圧荷重情報等に基づいて各部の動作を制御する。また、制御部１７は、時刻情報の生成機能を内蔵している。なお、時刻とは、現在時刻や着信時刻等の時刻である。
【００２５】
本実施の形態に係る携帯電話端末においては、タッチセンサ１１からの出力に基づいてタッチセンサ１１のタッチ面１１ａへのタッチ入力を検出する。そして、荷重検出部１２により検出される押圧荷重が所定の処理を実行するための荷重基準（例えば、１．５Ｎ）を満たさない状態で、タッチセンサ１１からの位置情報が、タッチ面１１ａの端部を始点として連続的に変化するスライド（所定のタッチ状態）を検出した場合に、タッチ対象に対して時刻呈示を開始することを通知するために、触感を呈示するように触感呈示部１３によりタッチ面１１ａを振動させる。その後、タッチ対象が時刻に応じたタッチ面１１ａの所定の位置をスライドする（所定のタッチ状態にある）と、触感呈示部１３によりタッチ面１１ａを振動させる。
【００２６】
このため、タッチセンサ１１には、例えば、タッチ面１１ａの縦方向に、図２（ａ）に示すように、タッチ面１１ａの一方の端部から他方の端部に向けて、時の１時から１２時に対応する１２本の時呈示線（所定の位置）４１を設定する。また、タッチ面１１ａの横方向には、図２（ｂ）に示すように、タッチ面１１ａの一方の端部から他方の端部に向けて、分の１５分、３０分、４５分に対応する３本の分呈示線（所定の位置）４２を設定する。これらの時呈示線４１および分呈示線４２の位置情報は、予め記憶部１６に記憶しておく。なお、時呈示線４１および分呈示線４２は、それぞれタッチ面１１ａの横方向および縦方向とすることもできるが、ここでは説明の便宜上、上述したように、縦方向に時呈示線４１を設定し、横方向に分呈示線４２を設定するものとする。
【００２７】
また、図２（ａ）および（ｂ）にハッチングを施して示すように、タッチ面１１ａの各辺の端から、当該端と平行に隣接する呈示線の近傍までの所定の領域は、端部と定義して、その端部の位置情報を予め記憶部１６に記憶しておく。
【００２８】
そして、図２（ａ）に示すように、縦方向において、タッチ対象である例えば指Ｆによる一方の端部の接触点Ｐから他方の端部に向かうスライドが検出された場合は、指Ｆに対して触感による時刻呈示（時の呈示）が開始することを通知するために、触感呈示部１３によりタッチ面１１ａを振動させて、タッチ面１１ａに接触している指Ｆに、例えば「ブルル」という触感を呈示する（以下、時刻呈示が開始することを通知するために呈示する触感を「時刻呈示開始に係る触感」と称する）。この際に指Ｆに呈示する触感は、後述する指Ｆが時刻に応じた時呈示線４１に対応する位置をスライドした際に呈示する触感と異なる触感とするのが好ましい。これらの触感をそれぞれ異ならせることにより、ユーザが、時刻呈示が開始すること及び時刻呈示が開始していることをそれぞれ明確に認識することができる。
【００２９】
指Ｆによる端部の接触点Ｐからのスライドが検出された後、時刻に対応する時呈示線４１が検出された際に（タッチ対象が時刻に応じた時呈示線４１に対応する位置をスライドした際に）、触感呈示部１３によりタッチ面１１ａを振動させて、タッチ面１１ａに接触している指Ｆに触感を呈示する。例えば、２時の場合は、一方の端部からの順次の２本の時呈示線４１で（タッチ対象が一方の端部から順次の２本の時呈示線４１に対応する位置をスライドした際に）それぞれタッチ面１１ａを振動させて、例えば「ブル」という触感を２回呈示する。
【００３０】
その後、時刻の呈示（時の呈示）が終了すると、ユーザに時刻の呈示（時の呈示）が終了したことを通知するために、時呈示線４１に対応する位置をスライドした際に呈示された触感と異なる触感を呈示する（以下、時刻呈示が終了したことを通知するために呈示する触感を「時刻呈示終了に係る触感」と称する）。例えば、時呈示線４１に対応する位置をスライドした際に「ブル」という触感を呈示している場合は、時刻呈示が終了したことを通知するために「カチッ」という触感を呈示する。このように、これらの触感をそれぞれ異ならせることにより、ユーザが、時刻呈示の継続中であること及び時刻呈示が終了したことをそれぞれ明確に認識することができる。
【００３１】
時刻呈示終了に係る触感を呈示するタイミングとしては、最後の時呈示線４１（例えば、３時を呈示する場合、一方の端部から３本目の時呈示線４１）に対応する位置をスライドした後であって、所定の距離をさらにスライドした際、または所定の時間経過の際が好ましい。また、最後の時呈示線４１に対応する位置をスライドした際に、時刻の呈示に係る触感に伴って連続的に時刻呈示終了に係る触感を呈示してもよい。また、最後の時呈示線４１に対応する位置をスライドした際に、時刻の呈示に係る触感を呈示する代わりに、時刻呈示終了に係る触感を呈示してもよい。つまり、３時を呈示する場合に、一方の端部から順次の３本の時呈示線４１をスライドすると、「ブル、ブル、カチッ」というような触感を呈示する。
【００３２】
なお、時呈示のスライドの開始を検出する一方の端部は、予め設定して、当該設定された端部からのスライドの開始に従って時を呈示するようにしてもよいし、いずれかの端部からのスライドが検出されたら、当該端部を時呈示のスライドの開始を検出する一方の端部として、そのスライドの開始に従って時を呈示するようにしてもよい。
【００３３】
また、図２（ｂ）に示すように、横方向において、指Ｆによる一方の端部の接触点Ｑから他方の端部に向かうスライドが検出された場合は、指Ｆに対して触感による時刻呈示（分の呈示）が開始することを通知するために、触感呈示部１３によりタッチ面１１ａを振動させて、タッチ面１１ａに接触している指Ｆに、例えば「ブルル」という時刻呈示開始に係る触感を呈示する。この際に指Ｆに呈示する触感は、後述する指Ｆが時刻に応じた分呈示線４２に対応する位置をスライドした際に呈示する触感と異なる触感とするのが好ましい。これらの触感をそれぞれ異ならせることにより、ユーザに、時刻呈示が開始すること及び時刻呈示が開始していることをそれぞれ明確に認識することができる。
【００３４】
指Ｆによる端部の接触点Ｑからのスライドが検出された後、時刻に対応する分呈示線４２が検出された際に、触感呈示部１３によりタッチ面１１ａを振動させて指Ｆに触感を呈示する。例えば、時刻の分が３０分以上４５分未満の場合は、一方の端部からの順次の２本の分呈示線４２でそれぞれタッチ面１１ａを振動させて、例えば「ブル」という触感を２回呈示する。また、時刻の分が１５分未満の場合は、横方向のスライドでは触感を呈示しないか、あるいは、横方向のスライドの開始時点で触感を呈示する。
【００３５】
その後、時刻の呈示が終了すると、ユーザに時刻の呈示が終了したことを通知するために、分呈示線４２に対応する位置をスライドした際に呈示された触感と異なる触感（時刻呈示終了に係る触感）を呈示する。例えば、分呈示線４２に対応する位置をスライドした際に「ブル」という触感を呈示している場合は、時刻呈示が終了したことを通知するために「カチ」という触感を呈示する。このように、これらの触感をそれぞれ異ならせることにより、ユーザが、時刻呈示の継続中であること及び時刻呈示が終了したことをそれぞれ明確に認識することができる。
【００３６】
時刻呈示終了に係る触感を呈示するタイミングとしては、最後の分呈示線４２（例えば、３０分の場合、一方の端部から２本目の分呈示線４２）に対応する位置をスライドした後であって、所定の距離をさらにスライドした際、または所定の時間経過の際が好ましい。また、最後の分呈示線４２に対応する位置をスライドした際に、時刻の呈示に係る触感に伴って連続的に時刻呈示終了に係る触感を呈示してもよい。また、最後の分呈示線４２に対応する位置をスライドした際に、時刻の呈示に係る触感を呈示する代わりに、時刻呈示終了に係る触感を呈示してもよい。つまり、３０分を呈示する場合に、一方の端部から順次の２本の時呈示線４１をスライドすると、「ブル、カチ」というような触感を呈示する。
【００３７】
なお、分呈示のスライドの開始を検出する一方の端部は、時呈示の場合と同様に、予め設定して、当該設定された端部からのスライドの開始に従って分を呈示するようにしてもよいし、いずれかの端部からのスライドが検出されたら、当該端部を分呈示のスライドの開始を検出する一方の端部として、そのスライドの開始に従って分を呈示するようにしてもよい。
【００３８】
このように、本実施の形態においては、指Ｆ等のタッチ対象が、タッチパネル１１のタッチ面１１ａを縦方向または横方向にスライドすることにより、指Ｆ等のタッチ対象が時刻に応じたタッチ面１１ａの所定の位置をスライドすると、触感呈示部１３によりタッチ面１１ａを振動させて、指Ｆ等のタッチ対象に時刻を触感により呈示する。これにより、ユーザは、例えば図２（ａ），（ｂ）に示したような触感が呈示された場合、時刻が２時３０分程度と認識することができる。また、時刻の呈示（時の呈示、分の呈示）が終了すると、時刻の呈示が終了したことを通知するために、時刻の呈示に係る触感と異なる触感（時刻呈示終了に係る触感）を呈示するので、ユーザは、時刻呈示終了に係る触感が呈示される前に、タッチパネルから指が離れてしまった場合に、時刻の呈示の途中であったことを認識することができる。
【００３９】
なお、指Ｆ等のタッチ対象に呈示する触感は、タッチ面１１ａを振動させる触感呈示部１３の駆動信号により適宜設定する。例えば、圧電素子を用いて触感呈示部１３を構成する場合において、硬い押しボタンスイッチを押したような「カチ」と感じられる触感を呈示する場合は、駆動信号として、２００Ｈｚ〜５００Ｈｚ程度の正弦波信号または矩形波信号を１周期分印加する。また、「ブル」や「ブニ」と感じられる軟質的な触感を呈示する場合は、駆動信号として、２００Ｈｚ〜５００Ｈｚ程度の正弦波信号を２〜３周期分印加する。あるいは、「ブルル」と感じられる振動として認知できる触感を呈示する場合は、駆動信号として、２００Ｈｚ〜５００Ｈｚ程度の正弦波信号を４周期分以上印加する。これらの種々の触感を呈示する駆動信号情報は、記憶部１６に記憶して、ユーザにより所望の触感を呈示する駆動信号を適宜設定できるようにするのが好ましい。
【００４０】
以下、本実施の形態に係る携帯電話端末による時刻の触感呈示動作について、図３に示すフローチャートを参照して説明する。なお、本実施の形態においては、スライドが検出された端部を一方の端部として、当該一方の端部から対応する他方の端部へのスライドに従って時刻の時や分を呈示するものとする。
【００４１】
先ず、制御部１７は、タッチセンサ１１からの位置情報の入力を検出して、タッチ面１１ａに指等のタッチ対象が接触（タッチ）したのを検出すると（ステップＳ１０１）、タッチセンサ１１から入力されるタッチ位置の位置情報と、荷重検出部１２から入力される押圧荷重とに基づいて、そのタッチに基づいてタッチ面１１ａの端部を始点として連続的に変化するスライドが開始したか否かを判定する（ステップＳ１０２）。そして、制御部１７は、タッチセンサ１１からの位置情報が、タッチ面１１ａの端部から当該端部に対向する他方の端部へ向かうように変化し、かつ、荷重検出部１２からの押圧荷重が、所定の処理を実行するための荷重基準（１．５Ｎ）を満たさない場合に、スライドの開始と判定する。
【００４２】
したがって、図４（ａ）に示すように、タッチ面１１ａ上で、ユーザが指Ｆをタッチ面１１ａの端部に相当する接触点Ｐから、当該端部に対向する他方の端部に向けて移動させ、その際に荷重検出部１２により検出される押圧荷重が、図４（ｂ）に示すように、荷重基準（１．５Ｎ）を満たしていない場合は、スライドの開始と判定される。
【００４３】
なお、携帯電話端末を鞄やポケット等に入れた状態で、タッチセンサ１１のタッチ面１１ａ上を指がスライドした場合、携帯電話端末の姿勢等により、スライドの途中で、荷重検出部１２により検出される押圧荷重が上記の荷重基準を満たすことも想定される。このため、制御部１７は、一方の端部から対応する他方の端部へ向かうスライド開始から所定移動距離（例えば、２ｍｍ）において、荷重検出部１２により検出される押圧荷重が上記の荷重基準を満たさない場合は、連続するその後のスライドにおいて荷重検出部１２により検出される押圧荷重が上記の荷重基準を満たしても、時刻を呈示する一連のスライドとして認識する。
【００４４】
制御部１７は、ステップＳ１０２において、タッチ面１１ａの端部を始点として連続的に変化するスライドの開始を判定すると（Yesの場合）、タッチ対象に対して時刻呈示を開始することを通知するために、時刻呈示開始に係る触感を呈示するように触感呈示部１３によりタッチ面１１ａを振動させる（ステップＳ１０３）。次に制御部１７は、タッチセンサ１１からの位置情報の変化に基づいて、当該スライドの方向がタッチ面１１ａの縦方向か否かを判定する（ステップＳ１０４）。その結果、縦方向の場合（Yesの場合）は、図２（ａ）に示したように、時刻に応じて、タッチセンサ１１から時呈示線４１の位置情報が出力された際に、触感呈示部１３によりタッチ面１１ａを振動させて、指等のタッチ対象に時刻の時（hour）を触感により呈示する（ステップＳ１０５）。ステップＳ１０５において、時刻の時を触感により呈示し終えると、制御部１７は、指等のタッチ対象に時刻の時の呈示に係る触感と異なる触感（時刻呈示終了に係る触感）を呈示するように触感呈示部１３によりタッチ面１１ａを振動させる（ステップＳ１０６）。
【００４５】
これに対し、ステップＳ１０４において、スライドの方向が縦方向でないと判定された場合（Noの場合）、すなわちスライドの方向が横方向と判定された場合は、図２（ｂ）に示したように、時刻に応じて、タッチセンサ１１から分呈示線４２の位置情報が出力された際に、触感呈示部１３によりタッチ面１１ａを振動させて、指Ｆに時刻の分（minutes）を触感により呈示する（ステップＳ１０７）。ステップＳ１０７において、時刻の分を触感により呈示し終えると、制御部１７は、指等のタッチ対象に時刻の分の呈示に係る触感と異なる触感（時刻呈示終了に係る触感）を呈示するように触感呈示部１３によりタッチ面１１ａを振動させる（ステップＳ１０６）。
【００４６】
一方、図４のステップＳ１０２において、制御部１７がスライドでないと判定した場合（Noの場合）、制御部１７は、時刻の触感呈示動作を実行することなく、当該タッチに応じた処理を実行する。例えば、携帯電話端末がスリープモード等の省電力モードにある場合で、タッチセンサ１１からの位置情報が所定時間変化せず、かつ荷重検出部１２からの押圧荷重が上記の荷重基準を満たしていない場合は、現在の省電力モードを維持するように制御する。これに対し、タッチセンサ１１からの位置情報の変化の有無にかかわらず、荷重検出部１２からの押圧荷重が上記の荷重基準を満たした場合は、省電力モードを解除して待受けモードに移行したり、電話番号等の入力を受け付けたり、等の所定の処理を実行する。
【００４７】
本実施の形態に係る携帯電話端末によれば、ユーザが、タッチセンサ１１のタッチ面１１ａを、縦方向の一方の端部から他方の端部に向けて所定の荷重基準を満たさない押圧荷重で指等をスライドさせると、時刻の時に応じた所定の位置をスライドした際に触感を呈示する。また、タッチ対象がタッチ面１１ａを、横方向の一方のエッジ部から他方のエッジ部に向けてスライドすると、時刻の分に応じた所定の位置をスライドした際に触感を呈示する。また、時刻の呈示を終了すると、時刻の呈示に係る触感と異なる触感を指等のタッチ対象に呈示する。
【００４８】
このように、本実施の形態に係る携帯電話端末は、時刻を触感により呈示し終えると、時刻の呈示に係る触感と異なる触感（時刻呈示終了に係る触感）を指等のタッチ対象に呈示するので、時刻の呈示に際して、ユーザは、時刻呈示終了に係る触感が呈示される前に指等をタッチ面から離してしまった場合に、時刻呈示終了に係る触感が呈示されていないので、時刻の呈示の途中であったことを認識することができる。したがって、携帯電話端末が触感により時刻を呈示している途中でユーザの指がタッチ面から離れた場合に、携帯電話端末が呈示しようとしていた時刻と異なる時刻を誤ってユーザが認識する恐れを低減することができる。
【００４９】
（第２実施の形態）
本発明の第２実施の形態に係る電子機器は、図１に示した構成の携帯電話端末において、制御部１７により、タッチセンサ１１のタッチ面１１ａに対する一回目のスライドの際（所定のタッチ状態の際）に、時刻の時を呈示し、時の呈示が終了すると、時の呈示に係る触感と異なる触感（時刻呈示終了に係る触感）を呈示する。そして、その時の呈示終了から所定時間内の、同一方向の二回目のスライドの際（所定のタッチ状態の際）に、時刻の分を呈示し、分の呈示が終了すると、分の呈示に係る触感と異なる触感（時刻呈示終了に係る）を呈示する。
【００５０】
ここで、制御部１７が検出するスライドとは、第１実施の形態の場合と同様に、所定の処理を実行するための荷重基準を満たさない押圧荷重で、タッチセンサ１１のタッチ面１１ａの端部を始点として、当該端部から対応する他方の端部へ向かうスライドである。また、一回目と二回目のスライドの方向は、二回ともタッチ面の縦方向あるいは横方向で、二回とも同じ端部からの一方通行のスライド、あるいは、一回目と二回目とで始点となる端部が異なる往復通行のスライドに予め設定する。同様に、一回目のスライドにおける時呈示線および二回目のスライドにおける分呈示線も、予め決めておく。
【００５１】
図５は、本発明の第２実施の形態に係る携帯電話端末による時刻の触感呈示動作を示すフローチャートである。以下、図５を参照しながら説明する。
【００５２】
先ず、制御部１７は、第１実施の形態の場合と同様に、タッチセンサ１１からの位置情報の入力を検出して、タッチ面に指Ｆ等のタッチ対象が接触（タッチ）したのを検出すると（ステップＳ２０１）、タッチセンサ１１から入力されるタッチ位置の位置情報と、荷重検出部１２から入力される押圧荷重とに基づいて、そのタッチに基づいて一回目のスライドが開始したか否かを判定する（ステップＳ２０２）。そして、制御部１７は、タッチセンサ１１からの位置情報が、タッチ面の一方の端部から対応する他方の端部へ向かうように変化し、かつ、荷重検出部１２からの押圧荷重が上記の荷重基準を満たさない場合、一回目のスライドの開始と判定する。
【００５３】
制御部１７は、ステップＳ２０２において、一回目のスライドの開始を判定すると（Yesの場合）、指Ｆ等のタッチ対象に対して時刻呈示（時の呈示）が開始することを通知するために、時刻呈示開始に係る触感を呈示するように触感呈示部１３によりタッチ面１１ａを振動させる（ステップＳ２０３）。次に制御部１７は、タッチセンサ１１からの位置情報の変化に基づいて、時刻の時に応じて、タッチセンサ１１から時呈示線４１の位置情報が出力された際に、触感呈示部１３によりタッチ面を振動させて、指Ｆ等のタッチ対象に時刻の時（hour）を呈示する（ステップＳ２０４）。ステップＳ２０４において、時刻の時を触感により呈示し終えると、制御部１７は、指等のタッチ対象に時刻の時の呈示に係る触感と異なる触感（時刻呈示終了に係る触感）を呈示するように触感呈示部１３によりタッチ面１１ａを振動させる（ステップＳ２０５）。
【００５４】
その後、制御部１７は、一回目のスライドによる時呈示が終了した時点、すなわち、一回目のスライドに係る指Ｆ等のタッチ対象がタッチ面１１ａから離れて、タッチセンサ１１から位置情報が入力されなくなった時点から、所定時間内に（例えば５秒以内）、二回目のスライドがあるか否かを検出する（ステップＳ２０６）。
【００５５】
その結果、二回目のスライドが検出された場合（Yesの場合）、指Ｆ等のタッチ対象に対して時刻呈示（分の呈示）を開始することを通知するために、時刻呈示開始に係る触感を呈示するように触感呈示部１３によりタッチ面１１ａを振動させる（ステップＳ２０７）。制御部１７は、時刻の分に応じて、タッチセンサ１１から分呈示線４２の位置情報が出力された際に、触感呈示部１３によりタッチ面を振動させて、指Ｆ等のタッチ対象に時刻の分（minutes）を呈示する（ステップＳ２０８）。ステップＳ２０８において、時刻の分を触感により呈示し終えると、制御部１７は、指Ｆ等のタッチ対象に時刻の分の呈示に係る触感と異なる触感（時刻呈示終了に係る触感）を呈示するように触感提示部１３によりタッチ面１１ａを振動させ（ステップＳ２０９）、時刻の触感呈示動作を終了する。
【００５６】
一方、ステップＳ２０２において、制御部１７がスライドではないと判定した場合（Noの場合）、制御部１７は、時刻の触感呈示動作を実行することなく、当該タッチに応じた処理を実行する。また、ステップＳ２０４において、所定時間内に二回目のスライドが検出できなかった場合、制御部１７は、時刻の触感呈示動作を終了する。したがって、この場合は、時のみが呈示されたことになる。
【００５７】
本実施の形態に係る携帯電話端末によれば、ユーザは、タッチパネル１１に対して、指Ｆ等のタッチ対象を同一方向に二回の一方通行のスライド、あるいは往復通行のスライドをさせることにより、一回目のスライドで時刻の時を触感により認識でき、二回目のスライドで時刻の分を触感により認識することができる。本実施の形態においても、時刻を触感により呈示し終えると、時刻の呈示に係る触感と異なる触感（時刻呈示終了に係る触感）を指Ｆ等のタッチ対象に呈示するので、時刻の呈示に際して、ユーザは、時刻呈示終了に係る触感が呈示される前に指等をタッチ面１１ａから離してしまった場合に、時刻呈示終了に係る触感が呈示されていないので、時刻の呈示の途中であったことを認識することができる。したがって、携帯電話端末が触感により時刻を呈示している途中でユーザの指がタッチ面１１ａから離れた場合に、携帯電話端末が呈示しようとしていた時刻と異なる時刻を誤ってユーザが認識する恐れを低減することができる。
【００５８】
（第３実施の形態）
本発明の第３実施の形態に係る電子機器は、図１に示した構成の携帯電話端末において、制御部１７により、タッチセンサ１１のタッチ面に対するタッチ対象の接触（タッチ）を検出する。そして、荷重検出部１２により検出される押圧荷重が所定の処理を実行するための荷重基準（例えば、１．５Ｎ）を満たさない状態で、接触状態が所定時間以上続いた（所定のタッチ状態）場合、タッチ対象に時刻を触感（時刻の呈示に係る触感）により呈示するように触感呈示部１３によりタッチ面１１ａを振動させる。その後、時刻の呈示が終了すると、時刻の呈示が終了したとこを通知するために、時刻の呈示に係る触感と異なる触感（時刻呈示終了に係る触感）をタッチ対象に呈示する。
【００５９】
図６は、本発明の第３実施の形態に係る携帯電話端末による時刻の触感呈示動作を示すフローチャートである。以下、図６を参照しながら説明する。
【００６０】
先ず、制御部１７は、第１実施の形態の場合と同様に、タッチセンサ１１からの位置情報の入力を検出して、タッチ面１１ａに指等のタッチ対象が接触（タッチ）したのを検出すると（ステップＳ３０１）、タッチセンサ１１から入力されるタッチ位置の位置情報と、荷重検出部１２から入力される押圧荷重とに基づいて、そのタッチ状態が所定時間以上続いているか否かを判定する（ステップＳ３０２）。そして、制御部１７は、タッチ状態が所定時間以上続いており、かつ、荷重検出部１２からの押圧荷重が上記の荷重基準を満たさない場合（Yesの場合）、タッチ対象に対して時刻呈示が開始することを通知するために、時刻呈示開始に係る触感を呈示するように触感呈示部１３によりタッチ面１１ａを振動させる（ステップＳ３０３）。
【００６１】
次に制御部１７は、時刻の時に対応する回数分、触感呈示部１３によりタッチ面１１ａを振動させて、指等のタッチ対象に時刻の時（hour）を呈示する（ステップＳ３０４）。ステップＳ３０４において、時刻の時を触感により呈示し終えると、制御部１７は、指Ｆ等のタッチ対象に時刻の時の呈示に係る触感と異なる触感（時刻呈示終了に係る触感）を呈示するように触感呈示部１３によりタッチ面１１ａを振動させる（ステップＳ３０５）。
【００６２】
その後、制御部１７は、時刻の時の呈示に引き続き、時刻の分の呈示が開始することを通知するために、時刻呈示開始に係る触感を呈示するように触感呈示部１３によりタッチ面１１ａを振動させる（ステップＳ３０６）。制御部１７は、時刻の分に対応する回数分、触感呈示部１３によりタッチ面１１ａを振動させて、指等のタッチ対象に時刻の分（minutes）を呈示する（ステップＳ３０７）。ステップＳ３０７において、時刻の分を触感により呈示し終えると、制御部１７は、指等のタッチ対象に時刻の分の呈示に係る触感と異なる触感（時刻呈示終了に係る触感）を呈示するように触感呈示部１３によりタッチ面１１ａを振動させ（ステップＳ２０９）、時刻の触感呈示動作を終了する。
【００６３】
一方、ステップＳ３０２において、制御部１７がタッチ状態が所定時間以上続いていない、または、荷重検出部１２からの押圧荷重が上記の荷重基準を満たす場合（Noの場合）、制御部１７は、時刻の触感呈示動作を実行することなく、当該タッチに応じた処理を実行する。
【００６４】
本実施の形態に係る携帯電話端末によれば、ユーザは、タッチパネル１１に対して、指Ｆ等のタッチ対象を接触させ続けている際に、時刻を触感により認識することができる。本実施の形態においても、時刻を触感により呈示し終えると、時刻の呈示に係る触感と異なる触感を指Ｆ等のタッチ対象に呈示するので、時刻の呈示に際して、ユーザは、時刻呈示終了に係る触感が呈示される前に指Ｆ等をタッチ面から離してしまった場合に、時刻呈示終了に係る触感が呈示されていないので、時刻の呈示の途中であったことを認識することができる。したがって、携帯電話端末が触感により時刻を呈示している途中でユーザの指がタッチ面から離れた場合に、携帯電話端末が呈示しようとしていた時刻と異なる時刻を誤ってユーザが認識する恐れを低減することができる。
【００６５】
本発明を諸図面や実施例に基づき説明してきたが、当業者であれば本開示に基づき種々の変形や修正を行うことが容易であることに注意されたい。従って、これらの変形や修正は本発明の範囲内に含まれることに留意されたい。
【００６６】
本実施の形態において、スライドの開始は、荷重検出部からの押圧荷重が、所定の処理を実行するための荷重基準を満たすか否かに基づいて判定されていたが、本発明はこれに限定されず、荷重検出部からの押圧荷重を考慮することなく、スライドの開始を判定してもよい。
【００６７】
また、上記実施の形態では、タッチ対象がタッチ面の端部を始点としてスライドしている際に、タッチ対象に対して時刻を触感に呈示したが、本発明は端部を始点としてスライドに限られない。例えば、タッチ対象がタッチ面の任意の点からスライドを開始した場合、制御部は、当該スライドの方向を検出し、前記スライドが開始した点と、当該スライドの方向に位置するタッチ面の端との間に時呈示線を設定する。そして、タッチ対象が時呈示線に対応する位置をスライドした際に、タッチ面を振動させることにより、タッチ対象に対して時刻の時を呈示する。この時を呈示するための一回目のスライドに係るタッチ対象がタッチ面から離れて、所定時間内に、タッチ面の任意の点からスライドがあった場合には、上述と同様な処理により、時刻の分を呈示する。このような処理を行うことにより、タッチ対象がタッチ面の任意の点からスライドを開始した場合に、タッチ対象に対して時刻を触感により呈示することができる。
【符号の説明】
【００６８】
１１  タッチセンサ
１１ａ  タッチ面
１２  荷重検出部
１３  触感呈示部
１４  表示部
１５  通信部
１６  記憶部
１７  制御部
【図１】
2011070508.tif 000003
【図３】
2011070508.tif 000004
【図４】
2011070508.tif 000005
【図５】
2011070508.tif 000006
【図６】
2011070508.tif 000007
【図２】
2011070508.tif 000008